(57)【要約】【課題】設置面積の省スペース化および効率的な熱交換が可能なタンクシステムを提供する。【解決手段】建物の外面上を流れる水が注水されて貯められる第１のタンク１１０と、水道水が貯水され、貯水された水道水が第１のタンク１１０内の水と熱交換可能なように設けられた第２のタンク１２０と、第２のタンク１２０に貯水された水道水を外部機器に供給するための供給部１２２と、建物の外面に散水するために、第１のタンク１１０に貯水された水が注水されて貯められるタンクであって、第１のタンク１１０および第２のタンク１２０の下方に設けられたタンクである散水タンク１３０と、散水タンク１３０に貯水された水を前記建物の外面に散水するための散水部１５０と、開閉されることにより第１のタンク１１０から散水タンク１３０への注水量を調整するバルブ１８０とを備える。【選択図】図７Ａ
2014163647.tif 000002
【特許請求の範囲】
【請求項１】
建物の外面上を流れる水が注水されて貯められる第１のタンクと、
水道水が貯水され、貯水された水道水が前記第１のタンク内の水と熱交換可能なように設けられた第２のタンクと、
前記第２のタンクに貯水された水道水を外部機器に供給するための供給部と、
前記第１のタンクおよび前記第２のタンクの下方に設けられ、前記建物の外面に散水するために、前記第１のタンクに貯水された水が注水されて貯められる散水タンクと、
前記散水タンクに貯水された水を前記建物の外面に散水するための散水部と、
開閉されることにより前記第１のタンクから前記散水タンクへの注水量を調整するバルブとを備える
タンクシステム。
【請求項２】
前記第２のタンクは、前記第１のタンクの内部に設けられる
請求項１に記載のタンクシステム。
【請求項３】
さらに、
前記第１のタンクに貯水される水の温度である第１温度と、前記第２のタンクに貯水される水の温度である第２温度とを測定する第１の水温測定部と、
前記バルブを開閉するバルブ制御部とを備え、
前記バルブ制御部は、前記第１温度が、前記第２温度よりも高い場合、前記バルブを閉鎖する
請求項１または２に記載のタンクシステム。
【請求項４】
さらに、
前記第１のタンクに貯水される水の温度である第１温度と、前記第２のタンクに貯水される水の温度である第２温度とを測定する第１の水温測定部と、
前記バルブを開閉するバルブ制御部とを備え、
前記バルブ制御部は、前記第１温度が、前記第２温度以下の場合、前記バルブを開放する
請求項１〜３のいずれか１項に記載のタンクシステム。
【請求項５】
さらに、
前記第１のタンクに貯水される水の水量と、前記散水タンクに貯水される水の水量とを測定する水量測定部と、
前記散水タンクに貯水された水を排水する排水部と、
前記排水部を制御する排水制御部とを備え、
前記排水制御部は、前記バルブ制御部が前記バルブを開放する際に、前記第１のタンクに貯水される水の水量と前記散水タンクに貯水される水の水量との合計が、前記散水タンクの容量よりも大きい場合、前記排水部によって前記散水タンクに貯水された水を排水する
請求項４に記載のタンクシステム。
【請求項６】
前記第２のタンクは、前記第１のタンクの材質よりも熱伝導性が高い材質で形成される
請求項１〜５のいずれか１項に記載のタンクシステム。
【請求項７】
前記第２のタンクは、前記第２のタンクの外側の面および内側の面の少なくとも一方にフィンを備える
請求項１〜６のいずれか１項に記載のタンクシステム。
【請求項８】
前記第１のタンクは、前記第２のタンクの内部に設けられる
請求項１に記載のタンクシステム。
【請求項９】
さらに、
前記建物の外面上を流れる水を、前記第１のタンクに注水するか、排水するかを切り替える切替部と、
前記建物の外面上を流れる水の温度である第３温度と、前記第２のタンクに貯水される水の温度である第２温度とを測定する第２の水温測定部と、
前記切替部を制御する切替制御部とを備え、
前記切替制御部は、前記第３温度が、前記第２温度以下の場合、前記切替部を制御して前記建物の外面上を流れる水を排水する
請求項１〜８のいずれか１項に記載のタンクシステム。
【請求項１０】
さらに、
前記建物の外面の温度を測定する温度測定部と、
前記散水タンクに貯水される水の温度である第４温度を測定する第３の水温測定部と、
前記散水部を制御する散水制御部とを備え、
前記散水制御部は、前記建物の外面の温度が前記第４温度よりも高い場合、前記散水部を制御して、前記建物の外面に散水する
請求項１〜９のいずれか１項に記載のタンクシステム。
【請求項１１】
前記第１のタンク、および／または前記散水タンクは、透明または半透明の部材で形成される
請求項２に記載のタンクシステム。
【請求項１２】
前記第１のタンクは、上方から下方に向かうにつれて縮径する形状である
請求項１〜１１のいずれか１項に記載のタンクシステム。
【請求項１３】
前記建物の外面の少なくとも一部には、ソーラーパネルが設けられており、前記ソーラーパネル上を流れる水が前記第１のタンクに注水されて貯められる
請求項１〜１２のいずれか１項に記載のタンクシステム。
【請求項１４】
請求項１に記載のタンクシステムの制御方法であって、
前記第１のタンクに貯水される水の温度である第１温度と、第２のタンクに貯水され水の温度である第２温度とを測定する測定ステップと、
前記第１温度が、前記第２温度よりも高い場合、前記バルブを閉鎖する制御ステップとを含む
制御方法。
【発明の詳細な説明】
【技術分野】
【０００１】
本発明は、貯水のためのタンクシステムに関し、特に、貯水される水の熱を有効に利用できるタンクシステムに関する。
【背景技術】
【０００２】
近年、雨水等を貯水し、利用する家庭用のタンクシステムが開発されている。このようなタンクシステムでは、貯水した水を良好な水質を必要としない植栽用途、洗車用途等に使用している。その結果、資源を有効に活用でき、また被災等による断水対策にも利用できる。例えば、ソーラーパネルに付着した雨水等を貯水槽に貯水し、貯水した水の熱によって水道水の熱交換を行うシステムが知られている（例えば、特許文献１参照）。
【先行技術文献】
【特許文献】
【０００３】
【特許文献１】特開２００３−１９９３７７号公報
【発明の概要】
【発明が解決しようとする課題】
【０００４】
ところで、上記のようなシステムにおいて、さらに水道水を貯水したいような場合は、雨水等を貯水するタンクに加えて上水を貯水するためのタンクを設ける必要がある。このような場合、設置面積を省スペース化することが課題である。また、タンクシステムにおいて水道水の効率的な熱交換を行うことも課題である。
【０００５】
そこで、本発明は、設置面積の省スペース化および効率的な熱交換が可能なタンクシステムを提供することを目的とする。
【課題を解決するための手段】
【０００６】
本発明の一態様に係るタンクシステムは、建物の外面上を流れる水が注水されて貯められる第１のタンクと、水道水が貯水され、貯水された水道水が前記第１のタンク内の水と熱交換可能なように設けられた第２のタンクと、前記第２のタンクに貯水された水道水を外部機器に供給するための供給部と、前記第１のタンクおよび前記第２のタンクの下方に設けられ、前記建物の外面に散水するために、前記第１のタンクに貯水された水が注水されて貯められる散水タンクと、前記散水タンクに貯水された水を前記建物の外面に散水するための散水部と、開閉されることにより前記第１のタンクから前記散水タンクへの注水量を調整するバルブとを備える。
【発明の効果】
【０００７】
本発明によれば、設置面積の省スペース化および効率的な熱交換が可能なタンクシステムが実現される。
【図面の簡単な説明】
【０００８】
【図１】図１は、実施の形態１に係るタンクシステムを一般住宅に用いた場合の一例を表す図である。
【図２】図２は、実施の形態１に係るタンクシステムの模式図である。
【図３】図３は、第１のタンクおよび第２のタンクの構造を説明するための図である。
【図４】図４は、散水タンクの構造を説明するための図である。
【図５】図５は、制御盤のシステム構成を示すブロック図である。
【図６】図６は、実施の形態１に係るタンクシステムの散水制御処理の一例を示すフローチャートである。
【図７Ａ】図７Ａは、第２のタンクおよび散水タンクへの給水時の水の流れを説明するための模式断面図である。
【図７Ｂ】図７Ｂは、ＰＶパネルへの散水時の水の流れを説明するための模式断面図である。
【図７Ｃ】図７Ｃは、ＰＶパネル上を流れる水を第１のタンクに注水するときの水の流れを説明するための模式断面図である。
【図７Ｄ】図７Ｄは、ＰＶパネル上を流れる水を配管に注水するときの水の流れを説明するための模式断面図である。
【図７Ｅ】図７Ｅは、第２のタンク内に貯水された水道水の第１のタンク内の水による熱交換を説明するための模式断面図である。
【図８】図８は、実施の形態１に係るタンクシステムの排水および供給処理の一例を示すフローチャートである。
【図９Ａ】図９Ａは、排水処理時の水の流れを説明するための模式断面図である。
【図９Ｂ】図９Ｂは、供給処理時の水の流れを説明するための模式断面図である。
【図１０Ａ】図１０Ａは、実施の形態２に係るタンクシステムの模式図である。
【図１０Ｂ】図１０Ｂは、実施の形態２に係るタンクシステムにおける、第２のタンクおよび散水タンクへの給水時の水の流れを説明するための模式断面図である。
【図１０Ｃ】図１０Ｃは、実施の形態２に係るタンクシステムにおける、建物の外面上への散水時の水の流れを説明するための模式断面図である。
【図１０Ｄ】図１０Ｄは、実施の形態２に係るタンクシステムにおける、建物の外面上を流れる水を第１のタンクに注水するときの水の流れを説明するための模式断面図である。
【図１１】図１１は、変形例に係るタンクシステムの第１のタンクおよび第２のタンクの構造を説明するための図である。
【発明を実施するための形態】
【０００９】
本発明の一態様に係るタンクシステムは、建物の外面上を流れる水が注水されて貯められる第１のタンクと、水道水が貯水され、貯水された水道水が前記第１のタンク内の水と熱交換可能なように設けられた第２のタンクと、前記第２のタンクに貯水された水道水を外部機器に供給するための供給部と、前記第１のタンクおよび前記第２のタンクの下方に設けられ、前記建物の外面に散水するために、前記第１のタンクに貯水された水が注水されて貯められる散水タンクと、前記散水タンクに貯水された水を前記建物の外面に散水するための散水部と、開閉されることにより前記第１のタンクから前記散水タンクへの注水量を調整するバルブとを備える。
【００１０】
従来のタンクシステムでは、熱交換装置と貯水槽とをそれぞれ別の場所に設けているため、それぞれの装置を設置するためのスペースが必要であった。しかし、このように、散水タンクを第１のタンクおよび第２のタンクの下方に設けることにより、設置面積を省スペース化できる。また、バルブの開放により、別途汲み上げポンプ等を設けなくとも、重力によって、第１のタンクに貯水された水を散水タンクへと注水することができる。
【００１１】
また、バルブを閉鎖することによって、第１のタンク内に水を滞留させることができ、第１のタンク内の水および第２のタンク内の水とで長時間熱交換を行うことができる。すなわち、建物の外面上を流れる水の持つ熱エネルギーを水道水の熱交換に効率よく利用できる。
【００１２】
また、例えば、前記第２のタンクは、前記第１のタンクの内部に設けられてもよい。
【００１３】
これにより、第２のタンクに貯水される水道水は、外気によって冷やされにくいため、第２のタンクに貯水される水道水の保温効果を高めることができる。
【００１４】
また、例えば、さらに、前記第１のタンクに貯水される水の温度である第１温度と、前記第２のタンクに貯水される水の温度である第２温度とを測定する第１の水温測定部と、前記バルブを開閉するバルブ制御部とを備え、前記バルブ制御部は、前記第１温度が、前記第２温度よりも高い場合、前記バルブを閉鎖してもよい。
【００１５】
これにより、第１のタンク内の水の水温が第２のタンク内の水の水温よりも高い場合には、第１のタンク内の水を滞留させ、第２のタンク内の水の熱交換を行うことができる。
【００１６】
また、例えば、さらに、前記第１のタンクに貯水される水の温度である第１温度と、前記第２のタンクに貯水される水の温度である第２温度とを測定する第１の水温測定部と、前記バルブを開閉するバルブ制御部とを備え、前記バルブ制御部は、前記第１温度が、前記第２温度以下の場合、前記バルブを開放してもよい。
【００１７】
これにより、第１のタンク内の水の水温が第２のタンク内の水の水温よりも低い場合には、第１のタンク内の水を散水タンクに注水することができる。その結果、第１のタンク内の水によって第２のタンク内の水が冷却されることを防ぎ、第２のタンク内の水を効果的に保温することができる。
【００１８】
また、例えば、さらに、前記第１のタンクに貯水される水の水量と、前記散水タンクに貯水される水の水量とを測定する水量測定部と、前記散水タンクに貯水された水を排水する排水部と、前記排水部を制御する排水制御部とを備え、前記排水制御部は、前記バルブ制御部が前記バルブを開放する際に、前記第１のタンクに貯水される水の水量と前記散水タンクに貯水される水の水量との合計が、前記散水タンクの容量よりも大きい場合、前記排水部によって前記散水タンクに貯水された水を排水してもよい。
【００１９】
これにより、第１のタンク内の水の水温が低い場合に、第１のタンク内の水を全て散水タンクに注水し、第１のタンク内に水が残留することを防ぐことができる。その結果、第１のタンク内の水によって第２のタンク内の水が冷却されることを防ぎ、第２のタンク内の水を効果的に保温することができる。
【００２０】
また、例えば、前記第２のタンクは、前記第１のタンクの材質よりも熱伝導性が高い材質で形成されてもよい。
【００２１】
これにより、第１のタンク内の水と第２のタンク内の水とをさらに効率よく熱交換させることができる。
【００２２】
また、例えば、前記第２のタンクは、前記第２のタンクの外側の面および内側の面の少なくとも一方にフィンを備えてもよい。
【００２３】
これにより、第２のタンクの表面積が増加するため、第１のタンク内の水と第２のタンク内の水とをさらに効率よく熱交換させることができる。
【００２４】
また、例えば、前記第１のタンクは、前記第２のタンクの内部に設けられてもよい。
【００２５】
これにより、第１のタンクに貯水される建物の外面上を流れた水が持つ熱エネルギーの外気による損失を低減し、このような熱エネルギーによって第２のタンクに貯水される水道水の熱交換を行うことができる。
【００２６】
また、例えば、さらに、前記建物の外面上を流れる水を、前記第１のタンクに注水するか、排水するかを切り替える切替部と、前記建物の外面上を流れる水の温度である第３温度と、前記第２のタンクに貯水される水の温度である第２温度とを測定する第２の水温測定部と、前記切替部を制御する切替制御部とを備え、前記切替制御部は、前記第３温度が、前記第２温度以下の場合、前記切替部を制御して前記建物の外面上を流れる水を排水してもよい。
【００２７】
これにより、第１のタンクに貯水される水が、建物の外面上を流れた水によって冷却されることを防ぐことができる。その結果、第１のタンク内の水と第２のタンク内の水とを効率よく熱交換させることができる。
【００２８】
また、例えば、さらに、前記建物の外面の温度を測定する温度測定部と、前記散水タンクに貯水される水の温度である第４温度を測定する第３の水温測定部と、前記散水部を制御する散水制御部とを備え、前記散水制御部は、前記建物の外面の温度が前記第４温度よりも高い場合、前記散水部を制御して、前記建物の外面に散水してもよい。
【００２９】
これにより、建物の外面が高温になるタイミングで適宜散水を行うことができる。また、このタイミングで建物の外面への散水を開始し、建物の外面を流れる水を第１のタンク内に注水することにより、第１のタンク内の水温度を効率的に上昇させることができる。
【００３０】
また、例えば、前記第１のタンク、および／または前記散水タンクは、透明または半透明の部材で形成されてもよい。
【００３１】
これにより、ユーザは、タンクや配管の詰まり等が発生した場合に、タンクや配管の詰まりの発生箇所を外部から目視することができるので、タンクシステムを完全に分解することなく配管の詰まりの発生箇所を特定できる。
【００３２】
また、例えば、前記第１のタンクは、上方から下方に向かうにつれて縮径する形状であってもよい。
【００３３】
第１のタンクは、建物の外面上を流れる水が貯水されるタンクであるため、ゴミが溜まりやすい。しなしながら、このような形状にすることによって、ゴミがタンク内の下方に集約されやすく、ゴミを取り除くメンテナンスが容易になる。
【００３４】
また、例えば、前記建物の外面の少なくとも一部には、ソーラーパネルが設けられており、前記ソーラーパネル上を流れる水が前記第１のタンクに注水されて貯められてもよい。
【００３５】
これにより、ソーラーパネルの表面が高温になり、発電効率が低下するタイミングで適宜散水を行うことができる。その結果、前記ソーラーパネルの発電効率を高めることができる。
【００３６】
また、本発明の一態様に係る制御方法は、上記態様のタンクシステムの制御方法であって、前記第１のタンクに貯水される水の温度である第１温度と、第２のタンクに貯水され水の温度である第２温度とを測定する測定ステップと、前記第１温度が、前記第２温度よりも高い場合、前記バルブを閉鎖する制御ステップとを含む。
【００３７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００３８】
以下、実施の形態について、図面を参照しながら具体的に説明する。
【００３９】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４０】
なお、各図は、模式図であり、必ずしも厳密に図示されたものではない。また、各図において、同じ構成部材については同じ符号を付している。
【００４１】
（実施の形態１）
まず、実施の形態１に係るタンクシステムの概要について説明する。
【００４２】
図１は、実施の形態１に係るタンクシステムを一般住宅に用いた場合の一例を表す図である。図２は、実施の形態１に係るタンクシステムの模式図である。
【００４３】
図１に示される住宅の屋根７０には、ＰＶパネル４０（ソーラーパネル）が設けられ、住宅において使用する一部の電力をＰＶパネル４０によって発電可能である。タンクシステム１００は、ＰＶパネル４０から熱エネルギーを獲得した、ＰＶパネル４０上を流れる水（以下、再利用水とも記載する）を雨樋８０を通じて第１のタンク１１０内に貯水する。このようにして第１のタンク１１０内に貯水された水の温度は高いため、第１のタンク１１０と熱交換可能に設けられた第２のタンク１２０内の水道水（上水道２０から注水される上水）と熱交換することができる。
【００４４】
例えば、住宅内で風呂１０において温水を使用する場合に、通常、給湯器３０が用いられるが、給湯器３０に供給される水を第２のタンク１２０内で予熱しておくことにより、給湯器３０が消費する電力量や消費するガス量等を低減することが可能である。
【００４５】
特許文献１には、配管内を流れる水道水と、タンク内の再利用水とを熱交換させる構成が開示されている。このような構成の場合、配管内を流れる水道水は、通常、配管内で滞留している時間が短いため、配管内の水と十分に熱交換できない場合がある。これに対し、タンクシステム１００では、第１のタンク１１０の再利用水と、第２のタンク１２０内の水道水とで熱交換を行う構成であるため、十分な時間、第２のタンク１２０内の水道水の熱交換を行うことができる。
【００４６】
また、例えば、配管内を流れる再利用水と、タンク内の水道水とを熱交換させる構成では、十分な時間、水道水の熱交換を行うことができる。しかしながら、この場合、再利用水は、水中にＰＶパネル４０の表面などに付着したゴミ等を含むため、配管が詰まりやすいという課題がある。これに対し、タンクシステム１００では、再利用水は、第１のタンク１１０内に貯水されるため、配管が比較的詰まりにくく、メンテナンスが容易であるという利点がある。さらに、実施の形態１では、タンク同士の接続にゴムホースを用いるなど、第１のタンク１１０と第２のタンク１２０とを分解しやすい工夫がされており、さらにメンテナンスが容易である。
【００４７】
タンクシステム１００においては、第１のタンク１１０に貯水された水の温度が低下した場合は、第１のタンク１１０に貯水された水により第２のタンク１２０内の水の温度が低下してしまう危険性がある。このような場合、第１のタンク１１０の下方に設けられた散水タンク１３０に第１のタンク１１０内の水を注水することができる。このとき、散水タンク１３０への注水は、重力を利用してポンプ等を用いることなく可能であり、効率的に行われる。
【００４８】
散水タンク１３０に貯水された水は、ポンプ１５０によって汲み上げられ、散布部５０によって屋根７０およびＰＶパネル４０に散布される。散布された水は、ＰＶパネル４０上を流れ、再び熱エネルギーを獲得するとともに、再度第１のタンク１１０に注水される。この際、第１のタンク１１０内に貯水された水は、再度熱せられることとなる。つまり、第１のタンク１１０内に貯水された水を循環させることでＰＶパネル４０の冷却と、第２のタンク１２０内に貯水された水の熱交換とを繰り返し行うことができる。
【００４９】
次に、タンクシステム１００について、図２を用いて詳細に説明する。
【００５０】
図２の（ａ）は、タンクシステム１００の外観図である。図２の（ｂ）は、タンクシステムの内部構造を示す図である。
【００５１】
タンクシステム１００には、配管１０１、１０２、１０３、１０４、および１０５が接続される。
【００５２】
配管１０１は、ＰＶパネル４０上を流れる水をタンクシステム１００内の第１のタンク１１０に供給するための配管である。なお、配管１０１内を流れる再利用水は、切替部１６０によって直接散水タンク１３０に供給される場合もある。
【００５３】
配管１０２は、散水タンク１３０に貯水された水をポンプ１５０によって汲み上げて、散布部５０に供給するための配管である。
【００５４】
配管１０３は、第２のタンク１２０および散水タンク１３０に水道水を供給するための配管である。
【００５５】
配管１０４は、第２のタンク１２０に貯水された水道水を給湯器３０などの外部機器に供給するための配管である。
【００５６】
配管１０５は、散水タンク１３０に貯水された水を排水するための配管である。
【００５７】
電気プラグ１０６は、制御盤１４０に電力を供給するためのプラグであり、商用系統のコンセントに接続される。
【００５８】
窓１０７は、ユーザが筐体１０８内の制御盤１４０を操作するために開閉する窓である。
【００５９】
筐体１０８は、図２（ｂ）に示されるような、第１のタンク１１０、第２のタンク１２０、および散水タンク１３０等を内部に収納する筐体である。実施の形態１では、筐体１０８は、直方体形状であるが、円柱形状などその他の形状であってもよい。また、筐体１０８は、樹脂で形成されてもよいし、金属で形成されてもよい。
【００６０】
次に、図２の（ｂ）を用いてタンクシステム１００の内部構造について詳細に説明する。
【００６１】
タンクシステム１００は、第１のタンク１１０と、第２のタンク１２０と、散水タンク１３０と、制御盤１４０（制御部１４０ａおよび測定部１４０ｂ）と、ポンプ（散水部）１５０と、切替部１６０と、バルブ１８０と、排水バルブ（排水部）１９０とを備える。
【００６２】
第１のタンク１１０には、建物の外面上を流れる水（ＰＶパネル４０上を流れる水）、すなわち再利用水が貯水される。ここで、建物の外面には、建物の屋根７０および建物の壁面（外壁）が含まれる。なお、ＰＶパネル４０は、建物の壁面に設けられてもよい。建物の外面上を流れる水（再利用水）とは、雨水、および散布部５０が散布する水を意味する。
【００６３】
第１のタンク１１０には、再利用水が注水される注水口である注水部１１１が設けられる。具体的には、注水部１１１は、切替部１６０を介して配管１０１と接続されている。
【００６４】
また、第１のタンク１１０には、第１のタンク１１０に貯水された水をバルブ１８０を介して散水タンク１３０に注水するための出水口１１２が設けられる。第１のタンク１１０の詳細な構造については、後述する。
【００６５】
第２のタンク１２０は、第１のタンク１１０の内部に設けられる。第２のタンク１２０には、水道水が貯水される。第２のタンク１２０は、当該第２のタンク１２０に貯水された水道水と第１のタンク１１０内の再利用水とが熱交換可能に設けられている。具体的には、第１のタンク１１０内の再利用水は、第２のタンク１２０の周囲を囲むように第１のタンク１１０内に貯水される。したがって、第２のタンク１２０を介して当該第２のタンク１２０に貯水された水道水と第１のタンク１１０内の再利用水とが熱交換される。
【００６６】
また、第２のタンク１２０が第１のタンク１１０の内部に設けられることで、第２のタンク１２０に貯水される水道水は、外気によって冷やされにくい。すなわち、第２のタンク１２０が第１のタンク１１０の内部に設けられる構成は、第２のタンクに貯水される水道水の保温効果を高めることができる。
【００６７】
第２のタンク１２０には、配管１０３から水道水が給水される給水口１２１が設けられる。給水口１２１は、具体的には、ゴムホース１２１ａによって給水切替部２００に接続される。なお、給水切替部２００は、配管１０３と接続される。
【００６８】
また、第２のタンク１２０には、第２のタンク１２０に貯水された水道水を外部機器に供給するための供給部１２２が設けられる。供給部１２２は、具体的には、ゴムホース１２２ａによって配管１０４と接続されている。第２のタンク１２０の詳細な構造については、後述する。
【００６９】
散水タンク１３０は、第１のタンク１１０および第２のタンク１２０の下方（直下）に設けられる。ここで、下方とは、鉛直方向における下方を意味する。散水タンク１３０には、ＰＶパネル４０に散水するために、第１のタンク１１０に貯水された水が注水されて貯められる。
【００７０】
散水タンク１３０には、散水タンク１３０に貯水された水をタンクシステム１００の外部に排水するための排水口１３１が設けられる。排水口１３１は、具体的には、排水バルブ１９０に接続される。
【００７１】
また、散水タンク１３０には、第１のタンクに貯水された再利用水が注水される注水口１３２が設けられる。注水口１３２は、バルブ１８０を介して第１のタンク１１０の出水口１１２に接続され、バルブ１８０が開放されることにより、第１のタンクに貯水された再利用水が注水口１３２を通って散水タンク１３０に注水される。
【００７２】
また、散水タンク１３０には、配管１０３から水道水が供給される給水口１３３が設けられる。給水口１３３は、具体的には、ゴムホース１３３ａによって給水切替部２００に接続される。なお、給水切替部２００は、配管１０３と接続される。
【００７３】
制御部１４０ａは、ユーザの指示または測定部１４０ｂの測定結果に基づいて、バルブ１８０の開閉、排水バルブ１９０の開閉、切替部１６０の切替、およびポンプ１５０のＯＮ・ＯＦＦを制御する。制御部１４０ａは、表示画面と、当該表示画面に重ね合わされるタッチパネルとを備え、上記表示画面には、各タンク内の水量および水温等が表示される。また、ユーザは上記タッチパネルに触れることで、制御部１４０ａに上記バルブ１８０の開閉等を指示することができる。なお、実施の形態１では、制御部１４０ａは、制御盤１４０の一部として実現される。制御部１４０ａの制御の詳細については後述する。
【００７４】
測定部１４０ｂは、第１のタンク１１０、第２のタンク１２０、および散水タンク１３０のそれぞれのタンク内の水量および水温、ＰＶパネル４０の表面温度、並びにＰＶパネル４０上を流れる水の水温を測定する。測定部１４０ｂは、第１のタンク１１０、第２のタンク１２０、および散水タンク１３０に設けられた、超音波式または圧力式の水量計（水位計）等から水量データを取得することより第１のタンク１１０、第２のタンク１２０、および散水タンク１３０のそれぞれの水量を測定する。また、測定部１４０ｂは、第１のタンク１１０、第２のタンク１２０、散水タンク１３０、ＰＶパネル４０、および雨樋８０に設けられた温度計から温度データを取得することにより、これらの温度をそれぞれ測定する。なお、実施の形態１では、測定部１４０ｂは、制御盤１４０の一部として実現される。測定部１４０ｂの詳細については後述する。
【００７５】
ポンプ１５０は、散水タンク１３０に貯水された水を汲み上げ、ＰＶパネル４０に散水するためのポンプである。ポンプ１５０は、具体的には、配管１０２に接続される。
【００７６】
切替部１６０は、１入力２出力のいわゆる三方弁（電磁式）である。切替部１６０は、具体的には、配管１０１を通じて注水される再利用水を、第１のタンク１１０に注水するか、配管１７０に注水するかを切り替える。なお、実施の形態１では、配管１７０に注水された水は、散水タンク１３０に注水されるが、そのままタンクシステム１００の外部に排水されてもよい。すなわち、切替部１６０は、再利用水を、第１のタンク１１０に注水するか、排水するかを切り替えてもよい。
【００７７】
バルブ１８０は、開閉されることにより第１のタンク１１０から散水タンク１３０への注水量を調整する。具体的には、バルブ１８０の一端は、第１のタンク１１０の出水口１１２に接続され、バルブ１８０の他端は、散水タンク１３０の注水口１３２に接続される。なお、バルブ１８０は、手動で開閉可能な構成であってもよいし、実施の形態１のように制御部１４０ａが開閉を制御する構成であってもよい。
【００７８】
排水バルブ１９０は、開放されることにより、散水タンク１３０に貯水された水をタンクシステム１００の外部に排水する。具体的には、排水バルブ１９０の一端は、散水タンク１３０の排水口１３１に接続され、排水バルブ１９０の他端は、ゴムホース１３１ａを介して配管１０５に接続される。なお、排水バルブ１９０は、手動で開閉可能な構成であってもよいし、実施の形態１のように制御部１４０ａが開閉を制御する構成であってもよい。
【００７９】
給水切替部２００は、配管１０３から供給される水道水を給水口１２１（第２のタンク１２０）に注水するか給水口１３３（散水タンク１３０）に注水するか、またはこれらの両方に注水するかを切り替える。給水切替部２００は、具体的には、１入力２出力のいわゆる三方弁（電磁式）であり、制御部１４０ａによって制御される。
【００８０】
次に、第１のタンク１１０および第２のタンク１２０の構造について詳細に説明する。
【００８１】
図３は、第１のタンク１１０および第２のタンク１２０の構造を説明するための図である。図３の（ａ）は、第１のタンク１１０および第２のタンク１２０の外観図であり、図３の（ｂ）は、第１のタンク１１０および第２のタンク１２０の分解図である。
【００８２】
図３の（ａ）および（ｂ）に示されるように、第１のタンク１１０は、タンク本体１１５と、注水部１１１と、出水口１１２と、蓋１１４とを備える。
【００８３】
タンク本体１１５は、中空の直方体形状である。タンク本体１１５には、円筒状の注水部１１１、円筒状の出水口１１２、および開口１１７が設けられる。
【００８４】
上述のように、注水部１１１は、再利用水が注水される注水口であり、タンク本体１１５の側面に設けられる。出水口１１２は、第１のタンク１１０に貯水された水を散水タンク１３０に注水するためにタンク本体１１５の底面（底部）に設けられる。
【００８５】
タンク本体１１５の底面に設けられた円形の開口１１７には、第２のタンク１２０の供給部１２２が貫通する。なお、開口１１７の内周面と、供給部１２２の外側の面との接触面には、ゴムパッキン等により漏水を防止する加工が施される。
【００８６】
蓋１１４は、タンク本体１１５に取り付けられる、長方形の板状の蓋である。蓋１１４は、タンク本体１１５内の水が漏れないようにゴムパッキン等を用いてタンク本体１１５に密着するように取り付けられる。
【００８７】
蓋１１４に設けられた円形の開口１１６には、第２のタンク１２０の給水口１２１が貫通する。なお、開口１１６の内周面と、給水口１２１の外側の面との接触面には、ゴムパッキン等により漏水を防止する加工が施される。
【００８８】
第１のタンク１１０の内部には、第２のタンク１２０が熱交換可能に設けられる。
【００８９】
図３の（ａ）および（ｂ）に示されるように、第２のタンク１２０は、タンク本体１２５と、給水口１２１と、供給部１２２と、蓋１２４と、フィン１２３とを備える。
【００９０】
タンク本体１２５は、中空の直方体形状である。タンク本体１２５には、円筒状の供給部１２２と、複数のフィン１２３とが設けられる。
【００９１】
上述のように、供給部１２２は、第２のタンク１２０に貯水された水道水を外部機器に供給するためにタンク本体１２５の底面に設けられる。供給部１２２は、内部にバルブを備え、水道水を貯水する場合は当該バルブは閉鎖され、外部機器に水道水を供給する場合は、当該バルブは開放される。なお、このバルブは、制御部１４０ａによって制御されるが、手動で開閉されてもよい。また、供給部１２２は、蛇口であってもよい。
【００９２】
フィン１２３は、第２のタンク１２０内の水道水と、第１のタンク１１０内の再利用水との熱交換をさらに促進するために、第２のタンク１２０の表面積を増加させる目的で複数設けられる。フィン１２３は、長尺の板状であり、長手方向が、タンク本体１２５の上下方向（鉛直方向）に略平行となるように、タンク本体１２５の側面に複数設けられる。
【００９３】
なお、実施の形態１では、フィン１２３は、タンク本体の側面にのみ設けられているが、フィン１２３は、さらに、タンク本体１２５の底面および蓋１２４に設けられてもよい。すなわち、フィン１２３は、タンク本体１２５の表面に設けられればよい。ここで、タンク本体１２５の表面とは、外側の面（第２のタンク１２０内の水と接する面）および内側の面（第１のタンク１１０内の水と接する面）を意味する。なお、フィン１２３の材料は、第２のタンク１２０と同一であってもよいし、異なる材料であってもよい。
【００９４】
蓋１２４は、タンク本体１２５に取り付けられる、長方形の板状の蓋である。蓋１２４は、タンク本体１２５内の水が漏れないようにゴムパッキン等を用いてタンク本体１２５に密着するように取り付けられる。
【００９５】
蓋１２４に設けられた給水口１２１は、上述のように配管１０３から給水を受けるために設けられる。
【００９６】
なお、実施の形態１では、第２のタンク１２０（タンク本体１２５）は、第１のタンク１１０（タンク本体１１５）の材質よりも熱伝導性がよい材質（材料）で形成される。具体的には、第２のタンク１２０の材料は、例えば、アルミニウムまたはアルミニウム合金、銅または銅合金、ステンレスなどである。ただし、蓋１２４は、樹脂であってもよい。第１のタンク１１０の材料は、例えば、樹脂材料、塩化ビニル、ポリカーボネイト、ＡＢＳ（Ａｃｒｙｌｏｎｉｔｒｉｌｅ  Ｂｕｔａｄｉｅｎｅ  Ｓｔｙｒｅｎｅ）、ＦＲＰ（Ｆｉｂｅｒ  Ｒａｉｎｆｏｒｃｅｄ  Ｐｌａｓｔｉｃｓ）などの樹脂である。
【００９７】
また、第１のタンク１１０を構成する各部材（タンク本体１１５、注水部１１１、出水口１１２、および蓋１１４）は、全て同じ材料で形成されてもよいし、それぞれ異なる材料で形成されてもよい。第２のタンク１２０を構成する各部材（タンク本体１２５、給水口１２１、供給部１２２、蓋１２４、およびフィン１２３）は、全て同じ材料で形成されてもよいし、それぞれ異なる材料で形成されてもよい。
【００９８】
次に、散水タンク１３０について説明する。
【００９９】
図４は、散水タンク１３０の構造を説明するための図である。図４の（ａ）は、散水タンク１３０の外観図であり、図４の（ｂ）は、散水タンク１３０の分解図である。
【０１００】
図４の（ａ）および（ｂ）に示されるように、散水タンク１３０は、タンク本体１３５と、排水口１３１と、注水口１３２と、給水口１３３と、接続口１３６および１３７と、蓋１３４とを備える。
【０１０１】
タンク本体１３５は、中空の直方体形状である。タンク本体１３５には、円筒状の排水口１３１と、円筒状の接続口１３６と、円筒状の接続口１３７とが設けられる。
【０１０２】
上述のように、排水口１３１は、散水タンク１３０に貯水された再利用水をタンクシステム１００の外部に排水するためにタンク本体１３５の底面に設けられる。
【０１０３】
接続口１３６は、タンク本体１３５の側面に設けられ、配管１７０と接続される。すなわち、接続口１３６は、配管１７０から散水タンク１３０内への再利用水の注水のために設けられる。
【０１０４】
接続口１３７は、タンク本体１３５の側面に設けられ、ポンプ１５０と接続される。すなわち、接続口１３７は、散水タンク１３０内の再利用水をポンプに供給するために設けられる。
【０１０５】
蓋１３４は、タンク本体１３５に取り付けられる、長方形の板状の蓋である。蓋１３４は、タンク本体１３５内の水が漏れないようにゴムパッキン等を用いてタンク本体１３５に密着するように取り付けられる。蓋１３４には、円筒状の注水口１３２および円筒状の給水口１３３が設けられる。
【０１０６】
注水口１３２は、上述のように、第１のタンク１１０から散水タンク１３０への注水のために設けられる。具体的には、注水口１３２は、バルブ１８０を介して第１のタンク１１０の出水口１１２に接続される。
【０１０７】
給水口１３３は、上述のように、配管１０３から給水を受けるために設けられる。
【０１０８】
なお、実施の形態１では、散水タンク１３０（タンク本体１３５）の材料は、例えば、ＦＲＰなどの樹脂であるが、銅や、ステンレスなどの金属であってもよい。
【０１０９】
また、散水タンク１３０を構成する各部材（タンク本体１３５、注水口１３２、給水口１３３、蓋１３４、接続口１３６、および接続口１３７）は、全て同じ材料で形成されてもよいし、それぞれ異なる材料で形成されてもよい。
【０１１０】
次に、制御盤１４０（制御部１４０ａおよび測定部１４０ｂ）について説明する。
【０１１１】
図５は、制御盤１４０のシステム構成を示すブロック図である。
【０１１２】
まず、測定部１４０ｂについて説明する。
【０１１３】
図５に示されるように、測定部１４０ｂは、第１の水温測定部２０１と、第２の水温測定部２０２と、第３の水温測定部２０３と、水量測定部２０４と、温度測定部２０５とを備える。
【０１１４】
第１の水温測定部２０１は、第１のタンク１１０に貯水される水の温度である第１温度と、第２のタンク１２０に貯水される水の温度である第２温度とを測定する。第１の水温測定部２０１は、具体的には、第１のタンク１１０に設けられた温度計（温度センサ）から温度データを取得することによって第１温度を測定し、第２のタンク１２０に設けられた温度計から温度データを取得することによって第２温度を測定する。
【０１１５】
第２の水温測定部２０２は、第２のタンク１２０に貯水される水の温度である第２温度と、ＰＶパネル４０上を流れる水の温度である第３温度とを測定する。第２の水温測定部２０２は、具体的には、第２のタンク１２０に設けられた温度計から温度データを取得することによって第２温度を測定し、雨樋８０に設けられた温度計から温度データを取得することによって第３温度を測定する。
【０１１６】
第３の水温測定部２０３は、散水タンク１３０に貯水される水の温度である第４温度を測定する。第３の水温測定部２０３は、具体的には、散水タンク１３０に設けられた温度計から温度データを取得することによって第４温度を測定する。
【０１１７】
温度測定部２０５は、ＰＶパネル４０の温度、すなわちＰＶパネル４０の表面の温度を測定する。具体的には、ＰＶパネル４０に設けられた温度計から温度データを取得することによってＰＶパネル４０の温度を測定する。
【０１１８】
水量測定部２０４は、第１のタンク１１０に貯水される水の水量（第１水量）と、散水タンク１３０に貯水される水の水量（第３水量）とを測定する。具体的には、第１のタンク１１０および散水タンク１３０にそれぞれ設けられた水量計から水量データを取得することによって上記第１水量と、上記第３水量とを測定する。なお、実施の形態１では、水量測定部２０４は、さらに、第２のタンク１２０に設けられた水量計から水量データを取得することにより第２のタンク１２０の水量（第２水量）を測定する。
【０１１９】
なお、制御盤１４０は、上記測定部１４０ｂによって測定された温度および水量を、制御盤１４０の表示画面に表示することができる。これにより、ユーザは、上記温度および水量を確認することができる。
【０１２０】
次に、制御部１４０ａの構成および動作について説明する。
【０１２１】
制御部１４０ａは、バルブ制御部１４１と、排水制御部１４２と、切替制御部１４３と、散水制御部１４４とを備える。
【０１２２】
バルブ制御部１４１は、バルブ１８０を開閉する。これにより、バルブ制御部１４１は、第１のタンク１１０から散水タンク１３０への注水量を調整することができる。
【０１２３】
バルブ制御部１４１は、例えば、第１の水温測定部２０１の水温測定結果に基づき、第１温度が、第２温度よりも高い場合、バルブ１８０を閉鎖する。このように、第１温度が、第２温度よりも高い場合は、第２のタンク１２０内の水の熱交換を行うのに適した状況である。このため、バルブ制御部１４１は、バルブ１８０を閉鎖し、第１のタンク１１０内の水を第１のタンク１１０内に滞留させ、第２のタンク１２０内の水の熱交換を行う。
【０１２４】
また、バルブ制御部１４１は、例えば、第１温度が、第２温度以下である場合、バルブ１８０を開放する。このように、第１温度が、第２温度以下である場合、第２のタンク１２０内の水は、第１のタンク１１０内の水によって冷却されてしまう可能性がある。このため、バルブ制御部１４１はバルブ１８０を閉鎖し、第１のタンク１１０内の水を散水タンク１３０に注水して第１のタンク１１０内を空気のみにする。これにより、水よりも空気のほうが熱伝導率が小さいため、いわゆる空気保温により第２のタンク１２０内の水の冷却を妨げることができる。
【０１２５】
排水制御部１４２は、水量測定部２０４の測定結果に基づき、排水バルブ１９０の開閉を制御して散水タンク１３０に貯水された水を排水する。排水制御部１４２は、例えば、第１温度が、第２温度以下である場合であってバルブ１８０が開放される場合に、バルブ１８０が開放される直前において、第１水量と第３水量との合計が、散水タンク１３０の容量よりも大きいときは、排水バルブ１９０を開放して散水タンク１３０に貯水された水を排水する。
【０１２６】
これにより、第１のタンク１１０内の水の温度が低く、第１のタンク１１０内の水を抜く必要があるときに、第１のタンク１１０内に滞留する水の量を低減できる。すなわち、第２のタンク１２０内の水の冷却を防止することができる。なお、このとき排水制御部１４２は、（第１水量と第３水量の合計）−（散水タンクの容量）の水量が排出されるまで排水バルブ１９０を開放する制御を行ってもよい。これにより、第１のタンク１１０内をほぼ空（第１のタンク１１０内の水量がほぼゼロ）にすることができる。
【０１２７】
切替制御部１４３は、第２の水温測定部２０２の測定結果に基づき、ＰＶパネル４０上を流れる水を、第１のタンク１１０に注水するか否かを切り替える。切替制御部１４３は、例えば、第３温度が、第２温度以下の場合、切替部１６０を切り替えてＰＶパネル４０上を流れる水を配管１７０に注水する。なお、実施の形態１では、配管１７０に注水された水は、散水タンク１３０に注水されるが、配管１７０に注水された水が、配管１７０からタンクシステム１００の外部に排水される構成であってもよい。この場合、切替制御部１４３は、第２の水温測定部２０２の測定結果に基づき、ＰＶパネル４０上を流れる水を、第１のタンク１１０に注水するか排水するかを切り替える。
【０１２８】
これにより、ＰＶパネル４０上を流れる水の温度が、第２のタンク１２０内の水の温度よりも高い場合にのみ、ＰＶパネル４０上を流れる水が第１のタンク１１０に注水されるため、第２のタンク１２０内の水を冷却することなく、効率的に第２のタンク１２０内の水の熱交換を行うことができる。
【０１２９】
散水制御部１４４は、ポンプ１５０を制御して散水タンク１３０内の水を汲み上げ、当該水を散布部５０からＰＶパネル４０に散布（散水）する。散水制御部１４４は、例えば、第３の水温測定部２０３の測定結果および温度測定部２０５の測定結果に基づき、ＰＶパネル４０の温度が第４温度よりも高い場合、ポンプ１５０を制御して、ＰＶパネル４０に散水する。
【０１３０】
これにより、ＰＶパネル４０上を流れる水を第１のタンク１１０内に注水することで第１のタンク内の水の温度上昇が見込める場合に、ＰＶパネル４０への散水が開始される。つまり、ＰＶパネル４０への散水が効率的に行われる。また、ＰＶパネル４０の表面が高温になるタイミング、すなわちＰＶパネル４０の発電効率が低下するタイミングでＰＶパネル４０に散水が行われるため、ＰＶパネル４０が散水により冷却され、ＰＶパネル４０の発電効率を高めることができる。
【０１３１】
なお、図示しないが、実施の形態１では、制御部１４０ａは、供給部１２２内のバルブを制御して、第２のタンク１２０内の水を外部機器に供給する。制御部１４０ａは、例えば、外部機器である給湯器３０からの水の供給を要求する要求信号などを受信した場合に供給部１２２内のバルブを開放して給湯器３０に水を供給する。また、例えば、制御部１４０ａは、衛生上の観点から、一定期間ごとに給湯器３０に水を供給してもよい。
【０１３２】
なお、制御盤１４０は、ポンプ１５０の動作状態、バルブ１８０の開閉状態、排水バルブ１９０の開閉状態、および切替部１６０の切替状態などを制御盤１４０の表示画面に表示することができる。これにより、ユーザは、タンクシステム１００の動作状態を確認することができる。
【０１３３】
次に、タンクシステム１００の動作について説明する。
【０１３４】
まず、タンクシステム１００の散水制御処理について図６および図７Ａ〜図７Ｅを用いて説明する。
【０１３５】
図６は、タンクシステム１００の散水制御処理の一例を示すフローチャートである。
【０１３６】
図７Ａ〜図７Ｅは、散水制御処理時の水の流れを説明するための模式断面図である。
【０１３７】
まず、制御部１４０ａは、散水準備が完了しているかどうかを判断する（Ｓ１０１）。制御部１４０ａは、例えば、第２水量（第２のタンク１２０の水量）が所定の水量以上であり、かつ排水バルブ１９０が閉鎖されており、かつ第３水量（散水タンク１３０の水量）が所定の水量以上である場合に、散水準備が完了していると判断する（Ｓ１０１でＹｅｓ）。制御部１４０ａは、散水準備が完了していない場合（Ｓ１０１でＮｏ）は、給水切替部２００を制御して、第２のタンク１２０（および散水タンク１３０）へ水道水の給水を行う。
【０１３８】
このとき、図７Ａに示されるように、水道水は、給水切替部２００から、第２のタンク１２０および散水タンク１３０へ給水される。
【０１３９】
次に、制御部１４０ａは、ポンプ１５０がＯＦＦであるか否かを判断する（Ｓ１０２）。
【０１４０】
ポンプ１５０がＯＮである場合（Ｓ１０２でＮｏ）は、ＰＶパネル４０への散水が行なわれている状態であることから、制御部１４０ａは、現在の状態が散水停止条件に適合しているか否かを判断する（Ｓ１０９）。ここで、散水停止条件とは、ＰＶパネル４０の温度が第４温度（散水タンク１３０に貯水される水の温度）以下の状態であることを意味する。なお、散水停止条件は、（ＰＶパネル４０の温度）＜（第４温度＋所定の温度）となる状態であってもよい。ここで、所定の温度は、制御部１４０ａの誤動作防止のためのマージン（ヒステリシス）である。なお、制御部１４０ａは、散水開始時点から現時点までの時間が、所定の時間（最大散水時間）以上であるか否かを散水停止条件としてもよい。
【０１４１】
現在の状態が散水停止条件に適合している場合（Ｓ１０９でＹｅｓ）、散水制御部１４４は、ポンプ１５０をＯＦＦして散水を停止し（Ｓ１１０）、制御部１４０ａは、後述のステップＳ１１１の処理に移行する。現在の状態が散水停止条件に適合していない場合（Ｓ１０９でＮｏ）も、制御部１４０ａは、後述のステップＳ１１１の処理に移行する。
【０１４２】
ポンプ１５０がＯＦＦである場合（Ｓ１０２でＹｅｓ）は、ＰＶパネル４０への散水が行なわれていない状態であることから、制御部１４０ａは、現在の状態が散水開始条件に適合しているか否かを判断する（Ｓ１０３）。ここで、散水開始条件とは、散水制御部１４４の動作において説明した、ＰＶパネル４０の温度が第４温度よりも高い状態であることを意味する。なお、散水開始条件は、（ＰＶパネル４０の温度）≧（第４温度＋所定の温度）となる状態であってもよい。ここで、所定の温度は、制御部１４０ａの誤動作防止のためのマージン（ヒステリシス）である。
【０１４３】
現在の状態が散水開始条件に適合している場合（Ｓ１０３でＹｅｓ）、バルブ制御部１４１は、バルブ１８０を閉鎖し（Ｓ１０４）、散水制御部１４４は、ポンプ１５０をＯＮして散水を開始する（Ｓ１０５）。
【０１４４】
ステップＳ１０５では、図７Ｂに示されるように、散水タンク１３０内の水は、ポンプ１５０によって汲み上げられる。その後、配管１０２を通って散布部５０からＰＶパネル４０に散布される。
【０１４５】
ステップＳ１０５の処理に続いて、制御部１４０ａは、現在の状態が注水条件に適合するか否かを判断する（Ｓ１０６）。ここで、注水条件とは、第３温度（ＰＶパネル４０上を流れる水の温度）が、第２温度（第２のタンク１２０に貯水される水の温度）よりも大きい状態を意味する。なお、注水条件は、（第３温度）＞（第２温度＋所定の温度）となる状態であってもよい。ここで、所定の温度は、制御部１４０ａの誤動作防止のためのマージン（ヒステリシス）である。
【０１４６】
現在の状態が注水条件に適合している場合（Ｓ１０６でＹｅｓ）、切替制御部１４３は、切替部１６０を第１のタンク１１０に注水するように切り替え、ＰＶパネル４０上を流れる水を第１のタンク１１０に注水する（Ｓ１０７）。
【０１４７】
ステップＳ１０７では、図７Ｃに示されるように、ＰＶパネル４０上を流れる水は、配管１０１、切替部１６０、注水部１１１をこの順に通って、第１のタンク１１０に注水される。
【０１４８】
現在の状態が注水条件に適合していない場合（Ｓ１０６でＮｏ）、切替制御部１４３は、切替部１６０を配管１７０に注水するように切り替え、ＰＶパネル４０上を流れる水を配管１７０に注水する（Ｓ１０８）。
【０１４９】
ステップＳ１０８では、図７Ｄに示されるように、ＰＶパネル４０上を流れる水は、配管１７０を通って、散水タンク１３０に注水される。
【０１５０】
ステップＳ１０７、ステップＳ１０８、およびステップＳ１１０に続いて、制御部１４０ａは、現在の状態がバルブ開放条件に適合するか否かを判断する（Ｓ１１１）。ここで、バルブ開放条件とは、バルブ制御部１４１の動作において説明したように、第１温度（第１のタンク１１０に貯水される水の温度）が、第２温度以下の状態を意味する。なお、バルブ開放条件は、（第１温度）≦（第２温度＋所定の温度）であってもよい。ここで、所定の温度は、制御部１４０ａの誤動作防止のためのマージン（ヒステリシス）である。
【０１５１】
現在の状態がバルブ開放条件に適合していない場合（Ｓ１１１でＮｏ）、制御部１４０ａは、現在の状態が終了条件に適合しているか否かを判断する（Ｓ１１５）。
【０１５２】
現在の状態がバルブ開放条件に適合している場合（Ｓ１１１でＹｅｓ）、バルブ制御部１４１は、バルブ１８０を開放する（Ｓ１１２）。続いて、制御部１４０ａは、現在の状態が第１排水条件に適合するか否かを判断する（Ｓ１１３）。
【０１５３】
ここで、第１排水条件とは、排水制御部１４２の動作において説明したように、第１水量（第１のタンク１１０の水量）と第３水量（散水タンク１３０の水量）との合計が、散水タンク１３０の容量よりも大きい状態を意味する。
【０１５４】
現在の状態が第１排水条件に適合している場合（Ｓ１１３でＹｅｓ）、排水制御部１４２は、排水バルブ１９０を開放して、散水タンク１３０内の水を排水し（Ｓ１１４）、制御部１４０ａは、現在の状態が終了条件に適合しているか否かを判断する（Ｓ１１５）。現在の状態が第１排水条件に適合していない場合（Ｓ１１３でＮｏ）も、制御部１４０ａは、現在の状態が終了条件に適合しているか否かを判断する（Ｓ１１５）。
【０１５５】
ステップＳ１１５における終了条件とは、例えば、散水制御処理の開始から所定の時間が経過した状態を意味する。終了条件は、ユーザの制御盤１４０の操作により、散水制御処理の停止が指示されている状態であってもよい。
【０１５６】
ステップＳ１１５において、現在の状態が終了条件に適合していない場合（Ｓ１１５でＮｏ）、制御部１４０ａは、ステップＳ１０２の処理に移行する。ステップＳ１１５において現在の状態が終了条件に適合している場合（Ｓ１１５でＹｅｓ）、制御部１４０ａは、散水制御処理を終了する。
【０１５７】
以上のような散水制御処理により、図７Ｅに示されるように、第２のタンク１２０内に貯水された水道水が第１のタンク１１０内の水により効率的に熱交換される。
【０１５８】
次に、上記散水制御処理の後に行われる、タンクシステム１００の排水および供給処理について説明する。
【０１５９】
図８は、タンクシステム１００の排水および供給処理の一例を示すフローチャートである。なお、図８において、ステップＳ２０１およびステップＳ２０２は、排水処理に相当するステップである。ステップＳ２０３およびステップＳ２０４は、供給処理に相当するステップである。
【０１６０】
図９Ａは、排水処理時の水の流れを説明するための模式断面図である。
【０１６１】
図９Ｂは、供給処理時の水の流れを説明するための模式断面図である。
【０１６２】
まず、制御部１４０ａは、現在の状態が第２排水条件に適合するか否かを判断する（Ｓ２０１）。実施の形態１では、衛生上の観点から、前回の排水処理から一定の時間が経過したか否かが第２排水条件とされている。
【０１６３】
現在の状態が第２排水条件に適合する場合（Ｓ２０１でＹｅｓ）、排水制御部１４２は、排水バルブ１９０を開放し（Ｓ２０２）、制御部１４０ａは、ステップＳ２０３の処理に移行する。現在の状態が第２排水条件に適合しない場合（Ｓ２０１でＮｏ）も、制御部１４０ａは、ステップＳ２０３の処理に移行する。
【０１６４】
ステップＳ２０２においては、図９Ａに示されるように、散水タンク１３０内の水は、排水バルブ１９０を通って配管１０５からタンクシステム１００の外部に排出される。
【０１６５】
続いて、制御部１４０ａは、現在の状態が供給条件に適合するか否かを判断する（Ｓ２０３）。実施の形態１では、制御部１４０ａの動作において説明したように、給湯器３０からの水の供給を要求する要求信号を受信した場合に、制御部１４０ａは、現在の状態が供給条件に適合すると判断する。
【０１６６】
現在の状態が供給条件に適合する場合（Ｓ２０３でＹｅｓ）、制御部１４０ａは、供給部１２２内のバルブを開放し、給湯器３０に第２のタンク１２０内の水道水を供給し（Ｓ２０４）、処理を終了する。現在の状態が供給条件に適合しない場合（Ｓ２０３でＮｏ）も、制御部１４０ａは、処理を終了する。
【０１６７】
ステップＳ２０４においては、図９Ｂに示されるように、第２のタンク１２０内の水は、供給部１２２を通って配管１０４から給湯器３０に供給される。
【０１６８】
以上、実施の形態１に係るタンクシステム１００について説明した。実施の形態１に係るタンクシステム１００は、設置面積が小さく、また、効率的に第２のタンク内の水道水の熱交換を行うことができる。
【０１６９】
（実施の形態２）
実施の形態１に係るタンクシステム１００は、建物の外面上を流れる水が貯水される第１のタンク１１０と、水道水が貯水される第２のタンク１２０とで熱交換を行い、第２のタンク１２０に貯水される水道水を温める構成であった。
【０１７０】
一方、実施の形態２に係るタンクシステム３００は、第２のタンク１２０に熱せられた水道水を貯水し、第１のタンク１１０と熱交換を行うことで、第１のタンク１１０に貯水される水を温める点が異なる。すなわち、実施の形態２に係るタンクシステム３００の各構成要素における温度制御は、実施の形態１に係るタンクシステム３００とは反対となる。
【０１７１】
このように、タンクシステム３００は、第２のタンク１２０に貯水される水道水によって第１のタンク１１０内の水を温め、温めた水を散水タンク１３０を経由して建物の外面上に散水することが特徴である。これにより、タンクシステム３００は、例えば、建物の外面上の雪を融雪する融雪処理を行うことができる。
【０１７２】
以下、実施の形態２について、図１０Ａ〜図１０Ｄを用いて詳細に説明する。なお、以下の実施の形態２において、実施の形態１と実質的に同一の構成要素には同一の符号を付し、その説明を省略する。
【０１７３】
図１０Ａは、実施の形態２に係るタンクシステム３００の構成例を表す。
【０１７４】
実施の形態２に係るタンクシステム３００には、実施の形態１に係るタンクシステム１００と異なり、配管３０３および配管３０４が設けられる。また、給水切替部２００ａの機能が、タンクシステム１００の給水切替部２００の機能と異なり、供給部１２２ｂの機能が、タンクシステム１００の供給部１２２の機能と異なる。
【０１７５】
配管３０３は、第２のタンク１２０および散水タンク１３０に熱せられた水道水を供給するための配管である。
【０１７６】
給水切替部２００ａは、配管１０３から供給される水道水（冷水）および配管３０３から供給される熱せられた水道水（温水）のそれぞれについて、当該水道水を給水口１２１（第２のタンク１２０）に注水するか給水口１３３（散水タンク１３０）に注水するか、またはこれらの両方に注水するかを切り替える。給水切替部２００ａは、具体的には、２入力２出力の電磁式の弁であり、制御部１４０ａによって制御される。
【０１７７】
なお、タンクシステム３００は、給水切替部２００ａに代えて、タンクシステム１００と同様の給水切替部２００を設け、配管１０３から熱せられた水道水が給水される構成であってもよい。
【０１７８】
配管３０４は、第２のタンク１２０に貯水された水道水を散水タンク１３０に供給するための配管である。
【０１７９】
供給部１２２ｂ内には、三方弁が設けられ、制御部１４０ａは、供給部１２２ｂ内の三方弁を制御して、第２のタンク１２０に貯水された水道水を散水タンク１３０（配管３０４）に供給するか、給湯器３０（配管１０４）に供給するかを切り替えることができる。
【０１８０】
次に、融雪処理時のタンクシステム３００の動作について説明する。
【０１８１】
図１０Ｂ〜図１０Ｄは、融雪処理時の水の流れを説明するための模式断面図である。
【０１８２】
まず、制御部１４０ａは、散水準備が完了しているかどうかを判断する。制御部１４０ａは、散水準備が完了していない場合は、給水切替部２００ａを制御して、第２のタンク１２０（および散水タンク１３０）へ熱せられた水道水の給水を行う。このとき、図１０Ｂに示されるように、熱せられた水道水は、給水切替部２００ａから、第２のタンク１２０および散水タンク１３０へ給水される。
【０１８３】
次に、バルブ制御部１４１は、バルブ１８０を閉鎖し、散水制御部１４４は、ポンプ１５０をＯＮして散水を開始する。このとき、図１０Ｃに示されるように、散水タンク１３０内の水は、ポンプ１５０によって汲み上げられる。その後、配管１０２を通って散布部５０から建物の外面上に散布される。
【０１８４】
散水後、図１０Ｄに示されるように、建物の外面上を流れる水は、配管１０１、切替部１６０、注水部１１１をこの順に通って、第１のタンク１１０に注水される。
【０１８５】
バルブ制御部１４１は、第１のタンク１１０と第２のタンク１２０とで熱交換が行われた後、バルブ１８０を開放する。
【０１８６】
なお、第２のタンク１２０に貯水される水の水温が所定値未満となった場合、制御部１４０ａは、供給部１２２ｂおよび配管３０４を通じて、第２のタンク１２０に貯水される水を、散水タンク１３０に注水してもよい。また、制御部１４０ａは、第２のタンク１２０に貯水される水の水温が所定値以上となった場合、供給部１２２ｂおよび配管３０４を通じて、第２のタンク１２０に貯水される水を、散水タンク１３０に注水してもよい。
【０１８７】
以上、実施の形態２に係るタンクシステム３００について説明した。
【０１８８】
タンクシステム３００は、建物の外面上に雪が積もっているような場合に、第２のタンク１２０に貯水される水道水によって温められた第１のタンク１１０内の水を建物の外面上に散水し、建物の外面上の雪を融雪することができる。
【０１８９】
（変形例）
以上、本発明を実施の形態に基づいて説明してきたが、本発明は、上記の実施の形態に限定されない。
【０１９０】
例えば、第１のタンクおよび第２のタンクの形状は、上述の直方体形状に限定されない。第１のタンクおよび第２のタンクの形状は、水を貯水できる形状であれば、どのような形状であってもよい。以下、変形例に係る第１のタンクおよび第２のタンクの形状について説明する。
【０１９１】
図１１は、変形例に係る第１のタンクおよび第２のタンクの構造を示す図である。なお、図１１において、図３と実質的に同一である構成要素については、同一の符号を付し、これらの機能等の説明を省略する。符号の異なる構成要素についても重複する説明については省略する。
【０１９２】
図１１（ａ）および（ｂ）に示されるように、変形例に係る第１のタンク１１０ａのタンク本体１１５ａは、中空の略円柱形状である。タンク本体１１５ａの底部１１８ａは、下方に向かうにつれて径が小さくなる略円錐台形状となっている。言い換えれば、第１のタンク１１０ａの底部１１８ａは、上方から下方に向かうにつれて連続的に縮径するすり鉢状である。なお、ここでの上方および下方とは、鉛直方向における上方および下方である。
【０１９３】
第１のタンク１１０ａは、再利用水が貯水されるタンクであるため、ゴミが溜まりやすいが、このように、底部１１８ａをすり鉢状にすることによって、ゴミがタンク内の下方に集約されやすく、ゴミを取り除くメンテナンスが容易になるという利点がある。
【０１９４】
変形例に係る第２のタンク１２０ａタンク本体１２５ａも、中空の略円柱形状である。タンク本体１２５ａの底部も、上方から下方に向かうにつれて連続的に縮径するすり鉢状である。
【０１９５】
第１のタンク１１０ａの蓋１１４ａおよび第２のタンク１２０ａの蓋１２４ａは、円形の板状である。
【０１９６】
なお、図示は省略するが、散水タンク１３０の形状も第１のタンクおよび第２のタンクの形状と同様に、水を貯水できる形状であれば、どのような形状であってもよい。
【０１９７】
また、上記実施の形態および変形例のように、第２のタンクが第１のタンクの内部に設けられる場合、第１のタンク、および／または散水タンク１３０は、透明または半透明の部材（例えば、樹脂）で形成されてもよい。これにより、ユーザは、筐体を外せば、第１のタンク（散水タンク１３０）の内部が容易に視認できる。その結果、ユーザは、タンクや配管の詰まり等が発生した場合に、タンクや配管の詰まりの発生箇所を、タンクシステムを完全に分解することなく特定できるという利点がある。
【０１９８】
また、第１のタンクが第２のタンクの内部に設けられてもよい。これにより、第１のタンクに貯水される再利用水が持つ熱エネルギーが外気等により失われることを防ぎ、確実に第２のタンクに貯水される水道水の熱交換が可能な構成とすることができる。この構成では、再利用水が持つ熱エネルギーの水道水との熱交換に寄与する寄与率において、効率的であるといえる。
【０１９９】
また、実施の形態において説明したフィンの形状は、上記のような形状に限定されず、例えばタンク本体の外側の面および内側の面のそれぞれに、らせん状に連続的に設けられてもよい。フィンは、第２のタンクの表面積を増やせるような構成であればどのようなものであってもよい。また、フィンに代えて、第２のタンクを構成する部材自体にエンボス加工などにより凹凸が設けられていてもよい。
【０２００】
また、タンクシステムは、供給部とは別に、第２のタンクから手動で外部に水を取り出すための蛇口を備えてもよい。このような蛇口は、水道水が利用できないような非常時に第２のタンク内の水道水を取り出すために有用である。
【０２０１】
また、以下のような場合も本発明に含まれる。
【０２０２】
（１）上記の各装置（ここでは、主に制御盤、制御部および測定部を意味する）は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０２０３】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０２０４】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０２０５】
（４）本発明は、上記に示す方法で実現されてもよい。また、これらの方法をコンピュータにより実現するコンピュータプログラムで実現してもよいし、コンピュータプログラムからなるデジタル信号で実現してもよい。
【０２０６】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０２０７】
また、本発明は、コンピュータプログラムまたはデジタル信号を、電気通信回線、無線または有線通信回線、インターネットを代表とするネットワーク、データ放送等を経由して伝送してもよい。
【０２０８】
また、本発明は、マイクロプロセッサとメモリを備えたコンピュータシステムであって、メモリは、コンピュータプログラムを記憶しており、マイクロプロセッサは、コンピュータプログラムにしたがって動作してもよい。
【０２０９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０２１０】
（５）上記実施の形態および上記変形例をそれぞれ組み合わせるとしてもよい。
【０２１１】
以上、一つまたは複数の態様に係るタンクシステムについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０２１２】
本発明は、建物の外面上を流れる水を利用するタンクシステムとして有用である。
【符号の説明】
【０２１３】
１０  風呂
２０  上水道
３０  給湯器
４０  ＰＶパネル
５０  散布部
７０  屋根
８０  雨樋
１００、３００  タンクシステム
１０１〜１０５、１７０、３０３、３０４  配管
１０６  電気プラグ
１０７  窓
１０８  筐体
１１０、１１０ａ  第１のタンク
１１１  注水部
１１２  出水口
１１４、１１４ａ、１２４、１２４ａ、１３４  蓋
１１５、１１５ａ、１２５、１２５ａ、１３５  タンク本体
１１６、１１７  開口
１１８ａ  底部
１２０、１２０ａ  第２のタンク
１２１、１３３  給水口
１２１ａ、１２２ａ、１３１ａ、１３３ａ  ゴムホース
１２２、１２２ｂ  供給部
１２３  フィン
１３０  散水タンク
１３１  排水口
１３２  注水口
１３６、１３７  接続口
１４０  制御盤
１４０ａ  制御部
１４０ｂ  測定部
１４１  バルブ制御部
１４２  排水制御部
１４３  切替制御部
１４４  散水制御部
１５０  ポンプ（散水部）
１６０  切替部
１８０  バルブ
１９０  排水バルブ（排水部）
２００、２００ａ  給水切替部
２０１  第１の水温測定部
２０２  第２の水温測定部
２０３  第３の水温測定部
２０４  水量測定部
２０５  温度測定部
【図１】
2014163647.tif 000003
【図２】
2014163647.tif 000004
【図３】
2014163647.tif 000005
【図４】
2014163647.tif 000006
【図５】
2014163647.tif 000007
【図６】
2014163647.tif 000008
【図７Ａ】
2014163647.tif 000009
【図７Ｂ】
2014163647.tif 000010
【図７Ｃ】
2014163647.tif 000011
【図７Ｄ】
2014163647.tif 000012
【図７Ｅ】
2014163647.tif 000013
【図８】
2014163647.tif 000014
【図９Ａ】
2014163647.tif 000015
【図９Ｂ】
2014163647.tif 000016
【図１０Ａ】
2014163647.tif 000017
【図１０Ｂ】
2014163647.tif 000018
【図１０Ｃ】
2014163647.tif 000019
【図１０Ｄ】
2014163647.tif 000020
【図１１】
2014163647.tif 000021